(57)【要約】【課題】  本体ベルトの一端に設けた固定具によりベッドやベビーカー等に安定して取付けることができ、不使用時には本体ベルトの他端に取付けた物品を固定具に近接して保持させることにより、安全に保持することのできる物品ホルダーを提供する。【解決手段】  前面側に係止部２１を有し、背面側に固定ベルト３０が設けられた固定具１０と、一端が固定具１０に装着され他端に物品を保持する物品保持ベルト５及び係止部２１に係止する係合部４が設けられた本体ベルト１とによって構成した。【選択図】図１
2006298400.tif 000002
【特許請求の範囲】
【請求項１】
前面側に係止部を有し、背面側に固定ベルトが設けられた固定具と、
一端が前記固定具に装着され他端に物品を保持する物品保持ベルト及び前記係止部に係止する係合部が設けられた本体ベルトとによって構成したことを特徴とする物品ホルダー。
【請求項２】
前記固定ベルトと物品保持ベルトに面ファスナーを設けたことを特徴とする請求項１記載の物品ホルダー。
【請求項３】
前記固定具を、前面板と、一対のベルト挿入穴を有し前記前面板に固定される後面板とによって構成し、前記固定ベルトの一端を前記後面板の背面側から一方のベルト挿通穴に挿通したのち他方のベルト挿通穴から背面側に引出して取付けたことを特徴とする請求項１又は２記載の物品ホルダー。
【請求項４】
前記後面板の一対のベルト挿通穴の間にゆるみ止め部を設けたことを特徴とする請求項３記載の物品ホルダー。
【請求項５】
前記係止部を、固定具の前面側に設けたノブで形成したことを特徴とする請求項１〜４のいずれかに記載の物品ホルダー。
【請求項６】
前記ノブに回転自在に回転プレートを装着し、該回転プレートに前記本体ベルトの一端を装着したことを特徴とする請求項５記載の物品ホルダー。
【請求項７】
前記ノブを、頭部、前記係合部が係止する溝部、当接部及び先端部に前記前面板に設けた回り止め穴に挿入する脚部を有し前記回転プレートが回転自在に装着される軸部とによって形成したことを特徴とする請求項５又は６に記載の物品ホルダー。
【請求項８】
前記係止部を、固定具に設けた係止穴又は係止切欠き部を利用して形成したことを特徴とする請求項１〜４のいずれかに記載の物品ホルダー。
【請求項９】
前記係合部を、ほぼ凸字状のフック又は逆Ｊ字状のフックで形成したことを特徴とする請求項１〜４のいずれかに記載の物品ホルダー。
【請求項１０】
前記係止部及び係合部をスナップボタンで形成したことを特徴とする請求項１〜４のいずれかに記載の物品ホルダー。
【請求項１１】
前記本体ベルトの他端を折返した折返し部に物品保持ベルト及び係合部を設けると共に、前記本体ベルトと物品保持ベルトとの間にベルト補強部を設けたことを特徴とする請求項１〜１０のいずれかに記載の物品ホルダー。
【発明の詳細な説明】
【技術分野】
【０００１】
本発明は、例えばベビーカーやベット等に取付けられて、哺乳瓶等の容器や玩具等の物品を保持する物品ホルダーに関するものである。
【背景技術】
【０００２】
この種のホルダーに、一端に寝台等に掛止する掛止部を備えた吊柄の他端に、哺乳瓶を嵌装するカップを設けた吊下げ用哺乳瓶保持器がある（例えば、特許文献１参照）。
また、挿入角の片方に挿入筒より小径のつばを設けると共に、この挿入筒の内面下方に押え片を設け、挿入筒に別に設けた支軸及び基台あるいはクリップを連結止着するようにした哺乳瓶保持具が提案されている（例えば、特許文献２参照）。
【０００３】
また、長尺の帯状の本体の一方の端部に、ファスナーを有する２枚の帯状部材からなる物品保持部を設け、他端側の途中に雄バックルを取付け、さらにその先端に取付けた雌バックルを取付けて形成した固定部からなり、この固定部をパイプにループを作って固定し、物品保持部により哺乳瓶等の物品を保持するようにした物品ホルダーが提案されている（例えば、特許文献３参照）。
【０００４】
【特許文献１】実公昭５２−３９６６９号公報（第１頁、図１）
【特許文献２】実開昭６２−２７６４１号公報（第１頁、図１）
【特許文献３】実願平５−５５３１７号（実開平７−２１０５３号）のマイクロフイルム（第５−８頁、図１、２）
【発明の開示】
【発明が解決しようとする課題】
【０００５】
特許文献１に記載の吊下げ用哺乳瓶保持器は、哺乳瓶を不使用時に収納して保持するだけであるから、授乳時にはその都度取外ずし、終ったときはまたカップに戻さなければならないので、きわめて面倒であるばかりでなく、授乳中やその前後に乳幼児が哺乳瓶を取り出したりして床上等に落下することもあり好ましくない。
【０００６】
特許文献２に記載の哺乳瓶支持具は、乳幼児が人手を使わずに１人で授乳することができるとしているが、支軸を基板に取付けられあるいはクリップにより基板に挟み込むようにしているため不安定であり、また、哺乳瓶が動揺するため、ベビーカーに取付けて使用することは困難である。
【０００７】
また、特許文献３に記載の物品ホルダーは、乳幼児が１人で授乳することができ、また容器を手から離しても落下することはないとしているが、本体の一端に設けた固定部をループ状にしてパイプに取付けるようにしているので、本体のパイプへの取付けがきわめて不安定である。また、保持部に保持された哺乳瓶等の物品は、長い本体により吊下げられているためぶらぶらし好ましくなく、特にベビーカーに取付けて使用することは、実際上できない。
【０００８】
本発明は、上記の課題を解決するためになされたもので、固定具によりベッドやベビーカー等に安定して固定することができ、不使用時は一端が固定具に連結された本体ベルトの他端に取付けた物品を固定具に近接して保持することにより、安定して保持することのできる物品ホルダーを提供することを目的としたものである。
【課題を解決するための手段】
【０００９】
本発明に係る物品ホルダーは、前面側に係止部を有し、背面側に固定ベルトが設けられた固定具と、一端が前記固定具に装着され他端に物品を保持する物品保持ベルト及び前記係止部に係止する係合部が設けられた本体ベルトとによって構成したものである。
【００１０】
上記の固定ベルトと物品保持ベルトに面ファスナーを設けた。
また、上記の固定具を、前面板と、一対のベルト挿入穴を有し前記前面板に固定される後面板とによって構成し、前記固定ベルトの一端を前記後面板の背面側から一方のベルト挿通穴に挿通したのち他方のベルト挿通穴から背面側に引出して取付けた。
上記の後面板の一対のベルト挿通穴の間にゆるみ止め部を設けた。
【００１１】
上記の係止部を、固定具の前面側に設けたノブで形成した。
上記のノブに回転自在に回転プレートを装着し、この回転プレートに本体ベルトの一端を装着した。
上記のノブを、頭部、前記係合部が係止する溝部、当接部及び先端部に前記前面板に設けた回り止め穴に挿入する脚部を有し前記回転プレートが回転自在に装着され軸部とによって形成した。
上記の係止部を、固定具に設けた係止穴又は係止切欠き部を利用して形成した。
【００１２】
上記の係合部を、ほぼ凸字状のフック又は逆Ｊ字状のフックで形成した。
上記の係止部及び係合部をスナップボタンで形成した。
【００１３】
上記の本体ベルトの他端を折返した折返し部に物品保持ベルト及び係合部を設けると共に、前記本体ベルトと物品保持ベルトの間にベルト補強部を設けた。
【発明の効果】
【００１４】
本発明に係る物品ホルダーによれば、固定具によりベッドやベビーカーなどの固定部に安定して取付けることができ、また、不使用時には係合部により固定具に近接して保持するようにしたので、物品がぐらぐら揺れることがなく、安全に保持することができる。
【発明を実施するための最良の形態】
【００１５】
図１は本発明の一実施の形態に係る物品ホルダーの正面図、図２は図１の背面図である。
本発明に係る物品ホルダーは、本体ベルト１と、その一端に設けられて物品を保持する保持部と、他端に連結されてベッドやベビーカーなどに取付けられる固定具１０とからなっている。
【００１６】
本体ベルト１は、例えば布材料により帯状に形成されており、一端を長さ調整具２に挿入したのち折返してループ状に形成し、端部を長さ調整具２に固定することにより、長さを調整できるようになっている。
４は図３（ａ）に示すように、幅広部４ａと幅狭部４ｂ（係合部）からなる中空で外形がほぼ凸字状の係合部であるフックで、その幅広部４ａが本体ベルト１の他端を折返したのち本体ベルト１に固定された折返し部３に取付けられている。なお、このフック４は金属材料や合成樹脂材料からなり、合成樹脂材料で形成した場合は、必要に応じてその幅狭部４ｂを破線で示すように弾性変形させて開閉することもできる。
【００１７】
５は例えば布材料からなり、帯状で弾性を有する物品保持ベルトで、フック４が取付けられた折返し部３内に本体ベルト１と直交して挿通され、両側に引き出されて長手方向のほぼ中央部が折返し部３に固定されている。そして、折返し部３から引き出された一方の側の一方の面には例えば雌面ファスナー６ａが設けられ、他方の側の他方の面には例えば雄面ファスナー６ｂが設けられている。なお、以下の説明では、雌面ファスナー６ａと雄面ファスナー６ｂを総称して、単に面ファスナー６と記すことがある。そして、雌面ファスナー６ａ又は雄面ファスナー６ｂの長さを適宜変えることにより、外径の異なる物品にも対応することができる。７は背面側（物品が当接する側）に設けた例えば皮章やゴム等からなる摩擦材である。また、折返し部３内の本体ベルト１と物品保持ベルト５との間には、例えば合成樹脂板や金属板からなる剛性のベルト補強板３ａ（以下、ベルト補強部ということがある）が設けられている。
【００１８】
８は回転プレートで、図３（ｂ）に示すように、下部に横長のベルト挿通穴９が設けられており、このベルト挿通穴９に本体ベルト１が挿通されてループ部内に保持されている。９ａは上部に設けた貫通穴である。
１０は回転プレート８が連結され、ベッドやベビーカー（以下、固定部ということがある）に取付けられる固定具で、以下、図４、図５によりその構造を説明する。
【００１９】
図４（ａ）は回転プレート８が取付けられた状態を示す固定具１０の正面図、図４（ｂ）はその側面図、図４（ｃ）は背面図である。また、図５（ａ）は図４（ｂ）の縦断面分解図、図５（ｂ）は図５（ａ）のノブ２１の説明図、図６（ａ）は前面板１１の背面図、図６（ｂ）は後面板１２の前面図である。
【００２０】
この固定具１０は、上部がほぼ四角形状で下部が円弧状に形成された断面ほぼコ字状の前面板１１と、前面板１１とほぼ同じ形状で背面側がゆるやかな円弧状に形成された後面板１２とからなっている。そして、前面板１１の上部両角部及び下部には、ねじ穴１３ａ，１３ｂ，１３ｃを有するスタッドが立設されている。また、下部のねじ穴１３ｃの上部にはねじ挿通穴１４が貫設されており、その外周には円弧状の回り止め穴１５ａ，１５ｂが設けられている。１６はねじ挿通穴１４の上部に突設された複数の押え突部である。
【００２１】
また、後面板１２の前面側外周には前面板１１の周壁内縁に嵌合するリブ１７が突設されており、上面両角部及び下部には前面板１１のねじ穴１３ａ〜１３ｃに対応してねじ挿通穴１８ａ，１８ｂ，１８ｃが設けられている。そして、ほぼ中央部には、横方向に長いほぼ楕円形状のゆるみ止め部１９が前後両面にやや突出して形成されており、このゆるみ止め部１９の上下には横方向に長いベルト挿通穴２０ａ，２０ｂが設けられている。なお、ゆるみ止め部１９の両面を凹凸や梨地などにより摩擦面に形成してもよく、また、ベルト挿通穴２０ａ，２０ｂはゆるみ止め部１９の両側に設けてもよく、あるいはゆるみ止め１９の上下と左右に設けてもよい。
【００２２】
２１は前面板１１の前面側に装着された係止部であるノブで、図５（ｂ）に示すように、頭部２２と溝部２３を介して設けられた当接部２４と、先端部に前面板１１の回り止め穴１５ａ，１５ｂの挿入される脚部２６ａ，２６ｂが設けられ、当接部２４から突設された軸部２５とからなり、軸部２５にはねじ穴２７が設けられている。なお、溝部２３の外径はフック４の幅狭部４ｂより若干小径に形成され、軸部２５の外径は回転プレート８の貫通穴９ａの内径より若干小径に形成されており、また、軸部２５は回転プレート８の板厚より若干長く形成されている。
【００２３】
３０（図２参照）は例えば布材料からなり帯状で弾性を有する固定ベルトで、固定具１０に取付けられてベビーカーやベッド等に固定部に巻付けて固定する。この固定ベルト３０は、一端を後面板１２の背面側からベルト挿通穴２０ｂに挿通され、後面板１２の前面側を通ってベルト挿通穴２０ａに挿通されて外側に引出したもので、一方の側の一方の面には例えば雌面ファスナー３１ａが設けられており、他方の側の他方の面には例えば雄面ファスナー３１ｂが設けられている。以下の説明では、雌面ファスナー３１ａと雄面ファスナー３１ｂを総称して、単に面ファスナー３１と記すことがある。なお、背面側（固定部に接する側）に摩擦材を設けてもよい。
【００２４】
次に、固定具１０の組立手順の一例について説明する。
先ず、本体ベルト１に取付けられた回転プレート８の前面側から、貫通穴９ａにノブ２１の軸部２５を嵌入する。そして、その脚部２６ａ，２６ｂを前面板１１に設けた回り止め穴１５ａ，１５ｂに挿入し、前面板１１の背面側から貫通穴１４に挿入したねじをノブ２１のねじ穴２７に螺入し、固定する。これにより、回転プレート８は前面板１１とノブ２１の当接部２３との間に回転自在に支持される。
【００２５】
ついで、面ファスナー３１が取付けられた固定ベルト３０の一端を、後面板１２の背面側からベルト挿通穴２０ｂに挿通し、ベルトゆるみ止め部１９に沿ってベルト挿通穴２０ａに挿通し、背面側に引き出す。このとき、長手方向のほぼ中央部をベルトゆるみ止め部１９上に位置させる。
ついで、後面板１２を前面板１１の背面に当接してそのリブ１７を前面板１１の周壁の内縁に嵌合し、ねじ挿通穴１８ａ〜１８ｃに挿入したねじをねじ穴１３ａ〜１３ｃにそれぞれ螺入して固定する。これにより、固定ベルト３０の長手方向のほぼ中央部が前面板１１の押え突部１６と後面板１２のゆるみ止め部１９との間に挟持されて固定され、その位置に保持される。
【００２６】
次に、本発明に係る物品ホルダーの使用の一例について説明する。
先ず、図７に示すように、本体ベルト１の背面側に物品３５（図には、哺乳瓶の場合が示してある）を当接し、物品保持ベルト５を巻付けて面ファスナー３０で固定する。このとき、物品保持ベルト５は弾性を有し、また、必要に応じて摩擦材７を設けることにより、物品は確実に保持される。
次に、図８に示すように、固定具１０の背面側をベビーカーやベッド等の固定部４０に当接して固定ベルト３０を巻付け、面ファスナー３１により固定する。これにより、固定部１０のゆるみ止め部１９が固定部４０に当接し、弾性を有する固定ベルト３０が固定部４０に巻付いて締付けられるので、固定具１０を確実にかつ強固に固定部４０に取付けることができる。
【００２７】
これにより、物品３５は、固定具１０、回転プレート８、本体ベルト１を介して固定部４０に吊下げられる。
そして、長さ調節具２により本体ベルト１を適宜長さに調整すれば、例えば、物品３５が哺乳瓶である場合は、哺乳瓶３５を乳幼児が１人で持って授乳することができる。このとき、回転プレート８は、図４（ａ）に示すように、ノブ２１を中心に回転することができるので、乳幼児の位置に応じて回転し、これに対応することができる。
【００２８】
授乳が終ったときは、哺乳瓶３５を吊下げておいてもよく、あるいは、図９に示すように、本体ベルト１を折曲げてフック４の幅狭部４ｂをノブ２１の溝部２２に嵌合すれば、哺乳瓶３５は固定部４０に近接して保持されるので、例えば、物品ホルダーをベビーカーに取付けた場合でも、ベビーカーを押し歩いても哺乳瓶３５が動揺することなく、安定して保持される。なお、物品３５が哺乳瓶のように液体が封入されている場合は、フック４をノブ２１に係止したときに、その吐出口が上になるように、上下を逆につけ替えることが必要である。
【００２９】
この場合、例えば物品保持ベルト５により、例えば哺乳瓶のような液体が入った重い物品３５を保持すると、物品３５が傾いて内容物がこぼれるおそれがある。しかし、本発明においては、本体ベルト１と物品保持ベルト５との間に剛性を有するベルト補強部３ａを設けたので、重い物品３５でも大きく傾くことがなく、内容物がこぼれることがない。
【００３０】
上記の説明では、物品３５を本体ベルト１の背面側に取付けた場合を示したが、前面側に取付けてもよいことは、言う迄もない。
また、先ず、物品保持ベルト５により物品３５を保持させ、ついで固定ベルト３０により固定具１０を固定部４０に取付ける場合を示したが、最初に固定ベルト３０により固定具１０を固定部４０に取付け、ついで、物品保持ベルト４により物品３５を取付けるようにしてもよい。
【００３１】
また、上記の説明では、本体ベルト１の一端に回転プレート８を装着し、この回転プレート８を固定具１０のノズル２１に回転自在に装着した場合を示したが、回転プレート８を省略し、本体ベルト１を直接固定具１０に取付けてもよい。
さらに、固定具１０に設けた係止部をノブ２１で形成した場合を示したが、ノブ２１に代えて、係合部を掛ける係止穴や係止切欠き部を設けてもよい。
【００３２】
また、係合部をほぼ凸字状のフック４で形成した場合を示したが、逆Ｊ字状のフックで形成してもよく、あるいは、係止部と係合部をスナップボタンで形成する等、固定具１０に係合しうるものであれば適宜選択することができる。
さらに、上記の説明では、物品３５として哺乳瓶を示したが、その他の容器や玩具等、適宜の物品を取付けることができる。また、物品保持ベルト５及び固定ベルト３０に面ファスナー６，３１を設けた場合を示したが、例えばバックルを設けるなど、他の固定手段を設けてもよい。
【００３３】
本発明によれば、ベッドやベビーカーなどの固定部に着脱可能に取付けられる固定具１０と、一端がこの固定具１０に回転可能に連結された回転プレート８に取付けられ、他端に係合部４及び例えば哺乳瓶の如き物品３５の保持ベルト５が設けられた本体ベルト１とからなり、物品保持ベルト５に例えば哺乳瓶などの物品３５を取付けることにより安定して保持され、乳幼児が哺乳瓶を手で持って授乳することができ、落しても哺乳瓶は本体ベルト１に吊下げられて床等に落下することがない。
また、不使用時には係合部４を固定具１０に係止させることにより、物品３５を固定具１０に近接して保持することができるので、例えば、移動するベビーカーに取付けても物品３５が動揺することがなく、安全である。
【図面の簡単な説明】
【００３４】
【図１】本発明の一実施の形態に係る物品ホルダーの正面図である。
【図２】図１の背面図である。
【図３】図１のフックの正面図及び回転プレートの正面図である。
【図４】図１の固定具の正面図、側面図及び背面図である。
【図５】図４の固定具の断面分解図及びノブの説明図である。
【図６】図５の前面板の背面図及び後面板の前面図である。
【図７】本発明に係る物品ホルダーの使用例の説明図である。
【図８】本発明に係る物品ホルダーの使用例の説明図である。
【図９】本発明に係る物品ホルダーの使用例の説明図である。
【符号の説明】
【００３５】
１  本体ベルト、２  長さ調整具、３  折返し部、３ａ  ベルト補強部、４  フック（係合部）、５  物品保持ベルト、６  面ファスナー、８  回転プレート、９  ベルト挿通穴、１０  固定具、１１  前面板、１２  後面板、１６  押え突部、１９  ゆるみ止め部、２０ａ，２０ｂ  ベルト挿通穴、２１  ノブ（係止部）、２２  頭部、２３  溝部、２４  当接部、２５  軸部、３０  固定ベルト、３５  物品（哺乳瓶）、４０  固定部。
【図１】
2006298400.tif 000003
【図２】
2006298400.tif 000004
【図３】
2006298400.tif 000005
【図４】
2006298400.tif 000006
【図５】
2006298400.tif 000007
【図６】
2006298400.tif 000008
【図７】
2006298400.tif 000009
【図８】
2006298400.tif 000010
【図９】
2006298400.tif 000011